(57)【要約】【課題】リッツ線や撚り線、パラレル線からなる巻線端末を端子に絡げることなく端子に固定可能とし、巻線端末を端子に絡げることにより生じる問題点を解消する。【解決手段】リッツ線、撚り線又はパラレル線からなる二次巻線３０Ｂは、ボビン１１の巻胴部１２に施されて端末が直線状ピン端子１８Ｂに沿って引き出され、直線状ピン端子１８Ｂに対して回転しないように取り付けられた金具４２によって保持される。金具４２は、直線状ピン端子１８Ｂが挿通する筒状部と、前記筒状部の所定の面から側方に延長して二次巻線３０Ｂ端末を囲むように折り曲げられた巻線端末保持部とを有する。二次巻線３０Ｂ端末と直線状ピン端子１８Ｂとが直線状ピン端子１８Ｂ先端側から溶着される。【選択図】図１
2009218425.tif 000002
【特許請求の範囲】
【請求項１】
巻胴部と、前記巻胴部両側にそれぞれ形成された鍔部と、少なくとも１つの前記鍔部に形成された端子台と、前記端子台から突出した端子部とを有するボビンと、
前記ボビンの前記巻胴部に施されて端末が前記端子部に沿って引き出されている、リッツ線、撚り線又はパラレル線からなる巻線と、
前記端子部に対して回転しないように取り付けられ、前記巻線端末を保持する金具とを備え、
前記金具は、前記端子部が挿通する筒状部と、前記筒状部の所定の面から側方に延長して前記巻線端末を囲むように折り曲げられた巻線端末保持部とを有し、前記巻線端末と前記端子部とが溶着されている、コイル部品。
【請求項２】
請求項１に記載のコイル部品において、前記端子部は角ピン又は平ピン形状であり、前記筒状部は角筒又は平筒形状である、コイル部品。
【請求項３】
請求項１又は２に記載のコイル部品において、前記巻線端末保持部は、略コの字形の部分を有するように２カ所で折り曲げられている、コイル部品。
【請求項４】
請求項３に記載のコイル部品において、前記巻線端末保持部は、略コの字形の底面が先端側の側面よりも幅狭である、コイル部品。
【請求項５】
請求項１から４のいずれかに記載のコイル部品において、前記筒状部は、前記端子部と前記巻線端末との間の一部が切り欠かれている、コイル部品。
【請求項６】
巻胴部と、前記巻胴部両側にそれぞれ形成された鍔部と、少なくとも１つの前記鍔部に形成された端子台と、前記端子台から突出した端子部とを有するボビンを用い、
筒状部及び巻線端末保持部を有する金具の前記筒状部に前記端子部を挿通することにより、前記金具を前記端子部に対して回転しないように取り付ける金具取付工程と、
リッツ線、撚り線又はパラレル線からなる巻線を前記ボビンの前記巻胴部に施す巻線工程と、
前記筒状部の所定の面から側方に延長して所定位置で折り曲げられた前記巻線端末保持部と前記筒状部との隙間に位置するように前記巻線端末を引き出す引出工程と、
前記巻線端末保持部を前記所定位置よりも先端側で折り曲げて前記巻線端末を囲んで保持する保持工程と、
前記巻線端末と前記端子部とを溶着する溶着工程とを有する、巻線端末の接続固定方法。
【請求項７】
請求項６に記載の方法において、前記端子部は角ピン又は平ピン形状であり、前記筒状部は角筒又は平筒形状である、巻線端末の接続固定方法。
【請求項８】
請求項６又は７に記載の方法において、
前記巻線端末保持部は、前記所定位置から先端側で幅が狭い第１の部分と、前記第１の部分よりも先端側に位置し前記第１の部分よりも幅が広い第２の部分とを有し、
前記保持工程は、前記第１の部分と前記第２の部分との境界部分で前記巻線端末保持部を折り曲げるものである、巻線端末の接続固定方法。
【請求項９】
請求項６から８のいずれかに記載の方法において、前記筒状部は前記隙間に臨む切欠部を有する、巻線端末の接続固定方法。
【請求項１０】
請求項６から９のいずれかに記載の方法において、前記隙間は、前記巻線端末を仮固定できる程度に狭い寸法である、巻線端末の接続固定方法。
【請求項１１】
請求項６から１０のいずれかに記載の方法において、前記溶着がはんだ付け、アーク溶接又はレーザー溶接である、巻線端末の接続固定方法。
【発明の詳細な説明】
【技術分野】
【０００１】
本発明は、大電流用チョークコイルやトランス（例えば、共振型電源に用いられる共振トランス）等として用いられるコイル部品及び巻線端末の接続固定方法に関する。
【背景技術】
【０００２】
薄型ＴＶ等に使用される電源部のチョークコイルやトランスは大電流が流れるため、複数本の線を束ねて線径を太くしたリッツ線や撚り線、パラレル線が巻線に用いられる。従来、その巻線端末は端子に絡げてはんだ付けを行うのが一般的である。ここで、ボビンの端子台から下方に伸びる端子ピンに巻線端末を絡げてその端子を基板のスルーホールに挿入する構成であると、絡げ部分の高さが端子に余分に必要となり製品低背化の妨げとなる。これを解決するために、ボビンの端子台から下方に伸びる部分と水平に伸びる部分とを有するＬピン型の端子を用い、この端子の水平部分に巻線端末を絡げてはんだ付けをする構造が知られている（下記特許文献１参照）。
【特許文献１】特開平８−２１３２５６号公報
【０００３】
特許文献１に記載の発明は、プリント基板上に搭載されるトランス等の部品から水平に延びるからげ端子に線材をからげて固定する際の作業性を向上する技術に関し、絡げ端子の遊端部に切り込み線を形成して該切り込み線内に線材を差し込んで挟圧保持し得るように構成したものである（段落［０００５］参照）。これにより、絡げ後の線材の弛みや絡げ作業中の断線等が生じることなく、ワンタッチで絡げ端子に線材を接続固定（仮止め）することが可能になるとしている（段落［０００９］参照）。
【発明の開示】
【発明が解決しようとする課題】
【０００４】
リッツ線や撚り線、パラレル線等の巻線端末を端子に絡げる構造の場合、下記の課題がある。
【０００５】
(1) 巻線端末の線径が太いため、はんだ付けの際に隣接した絡げ部分同士が短絡（ショート）し易く、品質、信頼性の低下が生じ、はんだ付けの作業性も悪い。これを防ぐために隣接する端子ピン間の距離を大きくとると、製品の小型化を妨げる。
【０００６】
(2) リッツ線や撚り線、パラレル線等の巻線端末を端子に絡げた状態でその端子先端側からはんだ付けをするとき、巻線端末の外周面が主としてはんだで濡れることになって巻線端末断面にはんだを十分に浸透させることが難しく、巻線端末の銅と端子とはんだとの合金層が形成しにくい。したがって、作業性や品質面で問題がある。
【０００７】
(3) 巻線端末を端子に絡げる際、作業性の観点からあらかじめ巻線端末を切断しておくのが一般的である。この場合、長さに余裕を持たせて巻線端末を切断する必要があるため捨て線が生じ、線材が無駄になりやすい。
【０００８】
(4) 特許文献１に記載の発明では、絡げ端子は専用形状であり、巻線端末の径が変更になった場合等には同じ絡げ端子を使用できず、端子の標準化が困難である。
【０００９】
(5) 特許文献１に記載の発明では絡げ端子の切り込みに巻線端末を圧入するが、太いリッツ線や撚り線、パラレル線等を圧入することは困難であり、また切り込みの大きくした専用の絡げ端子が必要で好ましくない。
【００１０】
本発明はこうした状況を認識してなされたものであり、その目的は、リッツ線や撚り線、パラレル線からなる巻線端末を端子に絡げることなく端子に固定可能とし、巻線端末を端子に絡げることにより生じる問題点を解消することのできるコイル部品、及び巻線端末の接続固定方法を提供することにある。
【課題を解決するための手段】
【００１１】
本発明の第１の態様は、コイル部品である。このコイル部品は、
巻胴部と、前記巻胴部両側にそれぞれ形成された鍔部と、少なくとも１つの前記鍔部に形成された端子台と、前記端子台から突出した端子部とを有するボビンと、
前記ボビンの前記巻胴部に施されて端末が前記端子部に沿って引き出されている、リッツ線、撚り線又はパラレル線からなる巻線と、
前記端子部に対して回転しないように取り付けられ、前記巻線端末を保持する金具とを備え、
前記金具は、前記端子部が挿通する筒状部と、前記筒状部の所定の面から側方に延長して前記巻線端末を囲むように折り曲げられた巻線端末保持部とを有し、前記巻線端末と前記端子部とが溶着されている。
【００１２】
第１の態様のコイル部品において、前記端子部は角ピン又は平ピン形状であり、前記筒状部は角筒又は平筒形状であるとよい。
【００１３】
第１の態様のコイル部品において、前記巻線端末保持部は、略コの字形の部分を有するように２カ所で折り曲げられているとよい。
【００１４】
この場合、前記巻線端末保持部は、略コの字形の底面が先端側の側面よりも幅狭であるとよい。
【００１５】
第１の態様のコイル部品において、前記筒状部は、前記端子部と前記巻線端末との間の一部が切り欠かれているとよい。
【００１６】
本発明の第２の態様は、巻線端末の接続固定方法である。この方法は、
巻胴部と、前記巻胴部両側にそれぞれ形成された鍔部と、少なくとも１つの前記鍔部に形成された端子台と、前記端子台から突出した端子部とを有するボビンを用い、
筒状部及び巻線端末保持部を有する金具の前記筒状部に前記端子部を挿通することにより、前記金具を前記端子部に対して回転しないように取り付ける金具取付工程と、
リッツ線、撚り線又はパラレル線からなる巻線を前記ボビンの前記巻胴部に施す巻線工程と、
前記筒状部の所定の面から側方に延長して所定位置で折り曲げられた前記巻線端末保持部と前記筒状部との隙間に位置するように前記巻線端末を引き出す引出工程と、
前記巻線端末保持部を前記所定位置よりも先端側で折り曲げて前記巻線端末を囲んで保持する保持工程と、
前記巻線端末と前記端子部とを溶着する溶着工程とを有する。
【００１７】
第２の態様の方法において、前記端子部は角ピン又は平ピン形状であり、前記筒状部は角筒又は平筒形状であるとよい。
【００１８】
第２の態様の方法において、
前記巻線端末保持部は、前記所定位置から先端側で幅が狭い第１の部分と、前記第１の部分よりも先端側に位置し前記第１の部分よりも幅が広い第２の部分とを有し、
前記保持工程は、前記第１の部分と前記第２の部分との境界部分で前記巻線端末保持部を折り曲げるものであるとよい。
【００１９】
第２の態様の方法において、前記筒状部は前記隙間に臨む切欠部を有するとよい。
【００２０】
第２の態様の方法において、前記隙間は、前記巻線端末を仮固定できる程度に狭い寸法であるとよい。
【００２１】
第２の態様の方法において、前記溶着がはんだ付け、アーク溶接又はレーザー溶接であるとよい。
【００２２】
なお、以上の構成要素の任意の組合せ、本発明の表現を方法やシステムなどの間で変換したものもまた、本発明の態様として有効である。
【発明の効果】
【００２３】
本発明によれば、端子部に対して回転しないように取り付けた金具の巻線端末保持部によって端子部の側方で巻線端末を囲んで保持するので、巻線端末を端子に絡げる必要がない。したがって、巻線端末を端子に絡げることにより生じる問題点を解消することが可能となる。
【発明を実施するための最良の形態】
【００２４】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２５】
図１は、本発明の実施の形態に係る横型コイル部品１０の組立説明図であり、(Ａ)は上方から見た斜視図、(Ｂ)は下方から見た斜視図である。横型コイル部品１０は、本実施の形態では大電流用トランスとして構成される。横型コイル部品１０は、ボビン１１と、一次巻線３０Ａと、二次巻線３０Ｂと、金具４２を備える。ボビン１１は、巻胴部１２と、鍔部１４Ａ，１４Ｂと、中鍔１５と、端子台１６Ａ，１６Ｂと、端子部としての直線状ピン端子１８Ａ，１８Ｂとを有する。
【００２６】
巻胴部１２は横向きの筒状であり、巻胴部１２両側に鍔部１４Ａ，１４Ｂがそれぞれ形成され、巻胴部１２中間に中鍔１５が形成されている。鍔部１４Ａ，１４Ｂには端子台１６Ａ，１６Ｂがそれぞれ一体に形成される。端子台１６Ａ，１６Ｂにはそれぞれ直線状ピン端子１８Ａ，１８Ｂが所定数だけ植設される（図１では、直線状ピン端子１８Ａが５つ、直線状ピン端子１８Ｂが７つの場合を例示）。直線状ピン端子１８Ａ，１８Ｂは、例えば銅又は銅合金（真鍮や燐青銅等）であり、端子台１６Ａ，１６Ｂからそれぞれ巻胴部１２軸方向外側に突出した角ピン形状である。
【００２７】
一次巻線３０Ａ及び二次巻線３０Ｂは巻胴部１２に施され、一次巻線３０Ａは単線の絶縁被覆線からなり、二次巻線３０Ｂは大電流に適したリッツ線、撚り線又はパラレル線からなる。図１では一次巻線３０Ａ及び二次巻線３０Ｂがともに１本巻きである場合を例示している。一次巻線３０Ａは、単線の絶縁被覆線からなるものとしているので、従来と同様に直線状ピン端子１８Ａにからげる構成を採用する。一方、二次巻線３０Ｂは、リッツ線、撚り線又はパラレル線からなるもの（径が大きい）としているため、金具４２によって保持する構成とする。以下、金具４２について説明する。
【００２８】
図２は、図１に示される金具４２の形状説明図である。ここでは、平面図（図２(Ｃ)）及び正面図（図２(Ｅ)）を主に参照する。金具４２は、銅又は銅合金（真鍮や燐青銅等）からなり、筒状部４５と、巻線端末保持部４８とを有する。筒状部４５は側面の一部が切欠４６となっている角筒状である。筒状部４５に直線状ピン端子１８Ｂを挿通することにより、金具４２は直線状ピン端子１８Ｂに対して回転しないように取り付けられる。巻線端末保持部４８は、筒状部４５の所定の面から側方に延長して所定位置で略直角に折り曲げられたものであり、この折り曲げられた面と切欠４６が形成された筒状部４５の一面とが二次巻線３０Ｂ端末を仮固定できる程度に狭い隙間４７を隔てて対向している。巻線端末保持部４８は、前記所定位置から先端側で幅が狭い第１の部分５１と、第１の部分５１よりも先端側に位置し第１の部分５１よりも幅が広い第２の部分５２とを有する。これにより、第１の部分５１の先端側で巻線端末保持部４８を折り曲げやすくしている。また、巻線端末保持部４８において、前記所定位置よりも基部側（筒状部４５側）の面も、第１の部分５１よりも幅が広くなっている。以下、直線状ピン端子１８Ｂに取り付けられた金具４２による二次巻線３０Ｂ端末の保持方法について説明する。
【００２９】
図３は、図２に示される金具４２によって二次巻線３０Ｂ端末を保持する工程の模式的説明図である。金具４２は、筒状部４５が上となるように直線状ピン端子１８Ｂに取り付けられる。二次巻線３０Ｂ端末は、巻線端末保持部４８の折曲面と筒状部４５との隙間４７に位置するように直線状ピン端子１８Ｂに沿って直線状ピン端子１８Ｂの下方に引き出される（図３(Ａ)→(Ｂ)→(Ｃ)）。そして第１の部分５１の先端側で巻線端末保持部４８を折り曲げて巻線端末保持部４８を略コの字形とすることにより、二次巻線３０Ｂ端末が金具４２に保持される（図３(Ｃ)→(Ｄ)）。なお、この状態で、略コの字形の底面は、先端側の側面よりも幅狭となっている。
【００３０】
以下、図１ないし３も参照しながら、ボビン１１に二次巻線３０Ｂを施して二次巻線３０Ｂ端末を直線状ピン端子１８Ｂに接続固定する手順について説明する。
【００３１】
・金具取付工程…  金具４２の筒状部４５に直線状ピン端子１８Ｂを挿通することにより、金具４２を直線状ピン端子１８Ｂに対して回転しないように取り付ける。
・巻線工程…  リッツ線、撚り線又はパラレル線からなる二次巻線３０Ｂをボビン１１の巻胴部１２に施す。
・引出工程…  巻線端末保持部４８の折曲面と筒状部４５との隙間４７に位置するように二次巻線３０Ｂ端末（一端及び他端）を端子台１６Ｂ下方を経由して直線状ピン端子１８Ｂに沿って直線状ピン端子１８Ｂ下方に引き出す。
・保持工程…  巻線端末保持部４８を第１の部分５１の先端側で折り曲げて、二次巻線３０Ｂ端末を囲んで保持する。
・切断工程…  直線状ピン端子１８Ｂ先端側で二次巻線３０Ｂ端末の余剰部分を切断する。
・溶着工程…  切断された二次巻線３０Ｂ端末の先端側（つまり直線状ピン端子１８Ｂ先端側）から二次巻線３０Ｂ端末と直線状ピン端子１８Ｂとをはんだ付けする。
【００３２】
図４は、図１に示される横型コイル部品１０にカバー５８と一対のＥ型コア６０Ａ，６０Ｂを装着した状態を示す説明図であり、(Ａ)は平面図、(Ｂ)は正面図である。上記溶着工程の後、本図に示されるように、ボビンにカバー５８が装着され、Ｅ型コア６０Ａ，６０Ｂの中脚が巻胴部１２内側に挿入され、側脚同士は突き合わされる。
【００３３】
図５は、横型コイル部品１０を基板に実装した状態の断面図である。上記溶着工程の後、本図に示されるように直線状ピン端子１８Ａ，１８Ｂは斜め上方に折り曲げられ、さらにその先端側で基板の実装面に対して垂直となる部分を有するように折り曲げられて、この垂直部分が基板１のスルーホール２に挿入される。なお、本図に示される実装方法に替えて通常の表面実装としてもよい。つまり、基板に落とし込み用の角穴を空け、直線状ピン端子１８Ａ，１８Ｂを基板面上の導体パターンに接続させてもよい。
【００３４】
本実施の形態によれば、下記の効果を奏することができる。
【００３５】
(1) 直線状ピン端子１８Ｂに取り付けた金具４２によってリッツ線、撚り線又はパラレル線からなる二次巻線３０Ｂ端末を一体的に保持することとしているので、線径の大きな巻線端末を従来のように端子ピンに絡げる必要がない。したがって、はんだ付けの際に隣接した絡げ部分同士が短絡（ショート）して品質、信頼性の低下が生じるリスクが小さく、はんだ付けの作業性も良い。また隣接する端子間の距離を大きくとる必要もなくなり、製品の小型化に有利である。
【００３６】
(2) 二次巻線３０Ｂ端末と直線状ピン端子１８Ｂとを金具４２で一体的に保持した結果、二次巻線３０Ｂ端末は直線状ピン端子１８Ｂと同方向を向くこととなり、従来の絡げ構成と比較して直線状ピン端子１８Ｂ先端側からはんだ付けをするときに二次巻線３０Ｂ端末断面にはんだを十分に浸透させることが容易となる。したがって、二次巻線３０Ｂ端末の銅と直線状ピン端子１８Ｂとはんだとの合金層が形成しやすくなり、作業性や品質面で有利である。また、合金層を目視で確認しやすく、品質が安定する。
【００３７】
(3) 金具４２の筒状部４５に角ピン形状の直線状ピン端子１８Ｂを挿通するので、金具４２は直線状ピン端子１８Ｂに対して回転せず、作業性が良い。また、金具自体が回転防止用の形状となっているため、ボビン側で金具の回転防止に配慮する必要がなく、一般的なボビンを用いることが可能で好都合である。
【００３８】
(4) 二次巻線３０Ｂ端末と直線状ピン端子１８Ｂとを金具４２で一体的に保持してから二次巻線３０Ｂ端末の線材を切断するので、従来のようにからげ作業の作業性の観点からあらかじめ巻線端末を切断しておく必要がなくなり、これに伴う捨て線による線材の無駄が減少する。
【００３９】
(5) 直線状ピン端子１８Ａ，１８Ｂは汎用のもので足り、特許文献１に記載の発明のように絡げ端子が専用形状である場合と比較して、巻線端末の径が変更になった場合等にも同じ端子を使用可能で、端子の標準化に有利である。
【００４０】
(6) 二次巻線３０Ｂ端末と直線状ピン端子１８Ｂとを金具４２で一体的に保持する構成としているので、特許文献１に記載の発明のように絡げ端子の切り込みに巻線端末を圧入する必要がなく、線形の大きなリッツ線や撚り線、パラレル線等を圧入する困難性がなくなる。また切り込みの大きくした専用の絡げ端子を用いる必要もない。
【００４１】
(7) 直線状ピン端子１８Ｂに取り付けた金具４２の隙間４７に二次巻線３０Ｂ端末を仮固定して巻線端末保持部４８を折り曲げることで二次巻線３０Ｂ端末を直線状ピン端子１８Ｂの下方に保持することができ、従来のように巻線端末を端子に絡げる構成と比較して作業性が良い。ここで、巻線端末と端子ピンとを細線を巻き付けて固定する方法が特開平８−５１０４３号公報（特に図６及び図７）に開示されているものの、細線を巻き付ける作業性が悪く、金具を用いた本実施の形態の作業性の良さは明らかである。
【００４２】
(8) 直線状ピン端子１８Ｂに二次巻線３０Ｂ端末を固定するので、製品の低背化に有利である。すなわち、ボビンの端子台から下方に伸びる端子ピンに巻線端末を絡げてその端子を基板のスルーホールに挿入する構成と比較して、絡げ部分の高さやはんだの高さの影響を受けなくて済み、スタンドオフを小さくすることにより製品高さを低くできる構造となっている。
【００４３】
(9) 従来のように巻線端末を端子に絡げる構成と比較して、絡げ部分がほどけたり巻線端末がばらけたりする不都合が少なく、二次巻線３０Ｂ端末を直線状ピン端子１８Ｂに接続固定する作業性が良い。
【００４４】
(10) 絡げ作業を不要としたことで、治具を用いることにより自動巻線機（例えばＮＣ巻線機）に対応することができる。
【００４５】
(11) 金具４２の巻線端末保持部４８は、筒状部４５の所定の面から側方に延長して所定位置で略直角に折り曲げられたものであり、この折り曲げられた面と切欠４６が形成された筒状部４５の一面とが二次巻線３０Ｂ端末を仮固定できる程度に狭い隙間４７を隔てて対向している。このため、二次巻線３０Ｂ端末は隙間４７に適度な圧力で挟まれることとなり、上記保持工程で第１の部分５１の先端側で巻線端末保持部４８を折り曲げるときに二次巻線３０Ｂ端末が隙間４７から外れることが防止され、作業性が良い。また、切欠４６の部分にもはんだが流れ込むため、二次巻線３０Ｂ端末と直線状ピン端子１８Ｂとの間の抵抗を小さくすることができる。
【００４６】
(12) 巻線端末保持部４８の第１の部分５１は、第１の部分５１よりも先端側に位置する第２の部分５２よりも幅が狭いため、第１の部分５１の先端側で巻線端末保持部４８を折り曲げやすい。このため、上記保持工程での折り曲げ位置を一定にしやすい。また、第１の部分５１と第２の部分５２との境界に二次巻線３０Ｂ端末が引っかかり、二次巻線３０Ｂ端末が隙間４７から外れることが防止され、作業性が良い。
【００４７】
以上、実施の形態を例に本発明を説明したが、実施の形態の各構成要素や各工程には請求項に記載の範囲で種々の変形が可能であることは当業者に理解されるところである。以下、変形例について触れる。
【００４８】
実施の形態ではコイル部品としてボビン巻軸方向が横向きである横型コイル部品を例に説明したが、変形例ではコイル部品はボビン巻軸方向が縦向きである縦型コイル部品（図６に例示）であってもよい。この場合も、実施の形態と同様に金具によってリッツ線、撚り線又はパラレル線からなる巻線端末を保持することができる。
【００４９】
実施の形態では二次巻線３０Ｂが１本巻である例を説明したが、変形例では二次巻線３０Ｂを２本巻以上の複数本巻として電流容量をさらに増大させてもよい。このとき、各巻線端末を別々の直線状ピン端子１８Ｂに分散させて固定してもよいし、１つの直線状ピン端子１８Ｂに複数の巻線端末を固定してもよい。この点、従来のように巻線端末を端子に絡げる構成であると１端子につき１巻線端末しか固定できないため、本実施の形態は従来技術と比較して設計の自由度が高いといえる。
【００５０】
実施の形態では直線状ピン端子１８Ａ，１８Ｂが角ピン形状である場合を示したが、変形例ではそれを平ピン形状や断面が楕円ピンとしてもよい。この場合、ピン形状に合わせて金具４２の筒状部４５の形状も平筒（板状の平ピンを囲む扁平な角筒）や楕円筒形状とする。
【００５１】
実施の形態で示したはんだ付けは溶着の例示であり、変形例でははんだ付けに替えてアーク溶接又はレーザー溶接による溶着としてもよい。この場合も二次巻線３０Ｂ端末と直線状ピン端子１８Ｂとを直線状ピン端子１８Ｂ先端側から溶着する。
【００５２】
実施の形態では一次巻線３０Ａは単線の絶縁被覆線からなり直線状ピン端子１８Ａにからげる構成としたが、一次側にも大電流が流れる場合は、一次巻線３０Ａもリッツ線、撚り線又はパラレル線からなる巻線として本実施の形態で示した方法によって直線状ピン端子１８Ａに金具４２を用いて固定してもよい。
【００５３】
実施の形態では横型コイル部品１０を大電流用トランスとして構成したが、変形例では例えば大電流用チョークコイルとして構成してもよい。
【００５４】
実施の形態では直線状ピン端子を用いる場合を説明したが、変形例ではＬピン端子を用い、Ｌピン端子の水平部に実施の形態と同様に巻線端末を固定してもよい。
【図面の簡単な説明】
【００５５】
【図１】本発明の実施の形態に係る横型コイル部品の組立説明図であり、(Ａ)は上方から見た斜視図、(Ｂ)は下方から見た斜視。
【図２】図１に示される金具の形状説明図。
【図３】図２に示される金具によって二次巻線端末を保持する工程の模式的説明図。
【図４】図１に示される横型コイル部品にカバーと一対のＥ型コアを装着した状態を示す説明図であり、(Ａ)は平面図、(Ｂ)は正面図。
【図５】横型コイル部品を基板に実装した状態の断面図。
【図６】実施の形態の変形例に係る縦型コイル部品の説明図。
【符号の説明】
【００５６】
１０  横型コイル部品
１１  ボビン
１２  巻胴部
１４Ａ，１４Ｂ  鍔部
１５  中鍔
１６Ａ，１６Ｂ  端子台
１８Ａ，１８Ｂ  直線状ピン端子
３０Ａ  一次巻線
３０Ｂ  二次巻線
４２  金具
４５  筒状部
４６  切欠
４７  隙間
４８  巻線端末保持部
５１  第１の部分
５２  第２の部分
６０Ａ，６０Ｂ  Ｅ型コア
【図１】
2009218425.tif 000003
【図２】
2009218425.tif 000004
【図３】
2009218425.tif 000005
【図４】
2009218425.tif 000006
【図５】
2009218425.tif 000007
【図６】
2009218425.tif 000008